(57)【要約】【課題】回転ガントリの小型化及び軽量化を可能とし、回転ガントリの高精度な回転制御、ターゲットの高精度な照射を可能にすること。【解決手段】本発明では、照射治療装置の回転ガントリに格納され、荷電粒子線ビームの軌道を変える偏向磁場と、荷電粒子線ビームの軌道中心から遠ざかる発散成分を抑える集束磁場とを形成して、加速器で加速された荷電粒子線ビームをターゲットに導く荷電粒子線ビームの制御用電磁石において、偏向磁場と集束磁場を合成磁場として同時に形成するとともに、荷電粒子線ビームの軌道に沿って磁場の向きが切り替わるように形状設定された超伝導コイル４１：４２を有することを特徴とする。【選択図】  図２
2011072717.tif 000002
【特許請求の範囲】
【請求項１】
照射治療装置の回転ガントリに格納され、荷電粒子線ビームの軌道を変える偏向磁場と、荷電粒子線ビームの軌道中心から遠ざかる発散成分を抑える集束磁場とを形成して、加速器で加速された荷電粒子線ビームをターゲットに導く荷電粒子線ビームの制御用電磁石において、
前記偏向磁場と集束磁場を合成磁場として同時に形成するとともに、荷電粒子線ビームの軌道に沿って磁場の向きが切り替わるように形状設定された超伝導コイルを有することを特徴とする荷電粒子線ビームの制御用電磁石。
【請求項２】
請求項１に記載の荷電粒子線ビームの制御用電磁石において、
前記超伝導コイルは、アクティブシールドコイルとして構成されることを特徴とする荷電粒子線ビームの制御用電磁石。
【請求項３】
請求項１又は請求項２に記載の荷電粒子線ビームの制御用電磁石において、
前記超伝導コイルの外側を覆う鉄ヨークを有することを特徴とする荷電粒子線ビームの制御用電磁石。
【請求項４】
請求項３に記載の荷電粒子線ビームの制御用電磁石において、
前記鉄ヨークを覆うように設けられ、偏向磁場と集束磁場を合成磁場として同時に形成するとともに、荷電粒子線ビームの軌道に沿って磁場の向きが切り替わるように形状設定され、且つ、アクティブシールドコイルとして構成された超伝導コイルを有することを特徴とする荷電粒子線ビームの制御用電磁石。
【請求項５】
請求項１に記載の荷電粒子線ビームの制御用電磁石において、
同心状の２重構造を有し、内側を構成して偏向磁場を形成する超伝導偏向電磁石と、外側を構成して集束磁場を形成する超伝導集束電磁石とを有し、この超伝導偏向電磁石と超伝導集束電磁石は互いに独立して励磁電流の供給を受けるように構成されることを特徴とする荷電粒子線ビームの制御用電磁石。
【請求項６】
請求項５に記載の荷電粒子線ビームの制御用電磁石において、
前記超伝導集束電磁石は、荷電粒子線ビームの軌道に沿って独立して複数設けられ、各超伝導集束電磁石は互いに独立して励磁電流の供給を受けるように構成されることを特徴とする荷電粒子線ビームの制御用電磁石。
【請求項７】
請求項１ないし請求項６何れか１項に記載の荷電粒子線ビームの制御用電磁石を備えることを特徴とする照射治療装置。
【発明の詳細な説明】
【技術分野】
【０００１】
本発明は、放射線治療技術に係り、特に、放射線治療で用いる荷電粒子線ビームの制御用電磁石及びこれを備えた照射治療装置に関する。
【背景技術】
【０００２】
近年、主に癌患者を対象とする放射線治療において、高エネルギーに加速した陽子線や炭素イオンなどの重粒子線（荷電粒子線）の利用が注目されている。荷電粒子線を利用した放射線治療）では、Ｘ線、ガンマ線、電子線或いは中性子線等の粒子線を利用した放射線治療と比べ、体内における線量分布や線量ピークを調節しやすい。このため、体表面及び体内患部周囲の正常細胞の損傷を抑えつつターゲットとなる癌患部などを効果的に治療することが可能となる。
【０００３】
初期の照射治療装置は、荷電粒子線ビームの照射部が固定され、ターゲットに対して一方向からの照射のみが可能となるものが主流であった。しかし、正常細胞の損傷を抑えつつ癌患部を効果的に治療するには、病巣部の形状やその体内深度に応じた最適な線量値及び線量分布を計画することが重要となる。そのため、荷電粒子線ビームの照射部を回転させることにより、ターゲットを多方向から照射する言わば“回転式”の照射治療装置が提案された（特許文献１、２参照）。
【先行技術文献】
【特許文献】
【０００４】
【特許文献１】特開平１１−４７２８７号公報
【特許文献２】特開平９−１９２２４４号公報
【発明の概要】
【発明が解決しようとする課題】
【０００５】
回転式の照射治療装置において、病巣部の形状やその体内深度に応じた最適な線量値及び線量分布にてターゲットを照射するためには、回転ガントリの高精度な回転制御が必要となる。しかしながら、回転ガントリの最外殻（最外径）が大きくなるほど、又、回転ガントリが重くなるほど、回転ガントリの高精度な回転制御は困難になってくる。
【０００６】
本発明は上記事情に鑑みてなされたもので、回転ガントリの小型化及び軽量化が可能となり、回転ガントリの高精度な回転制御、ターゲットの高精度な照射が可能となる荷電粒子線ビームの制御用電磁石及びこれを備えた照射治療装置を提供することを目的とする。
【課題を解決するための手段】
【０００７】
上述した目的を達成するため、本発明に係る荷電粒子線ビームの制御用電磁石では、照射治療装置の回転ガントリに格納され、荷電粒子線ビームの軌道を変える偏向磁場と、荷電粒子線ビームの軌道中心から遠ざかる発散成分を抑える集束磁場とを形成して、加速器で加速された荷電粒子線ビームをターゲットに導く荷電粒子線ビームの制御用電磁石において、偏向磁場と集束磁場を合成磁場として同時に形成するとともに、荷電粒子線ビームの軌道に沿って磁場の向きが切り替わるように形状設定された超伝導コイルを有することを特徴とする。
【０００８】
また、本発明に係る照射治療装置では、上述した荷電粒子線ビームの制御用電磁石を備えることを特徴とする。
【発明の効果】
【０００９】
本発明によれば、回転ガントリの小型化及び軽量化が可能となり、回転ガントリの高精度な回転制御、ターゲットの高精度な照射が可能となる。
【図面の簡単な説明】
【００１０】
【図１】本発明に係る照射治療装置の第１実施形態を示す要部縦断面図。
【図２】図１の複合型超伝導電磁石の分解斜視図。
【図３】本発明の経緯説明図であり、従来の照射治療装置の要部縦断面図。
【図４】本発明の経緯説明図であり、従来の荷電粒子線ビームの制御用電磁石を示す分解斜視図であり、（Ａ）は常電導偏向電磁石を示す図、（Ｂ）は常電導集束電磁石を示す図。
【図５】本発明に係る照射治療装置の第２実施形態を示す図であり、複合型超伝導電磁石の縦断面図（図１のＩＩ−ＩＩ線断面図）。
【図６】本発明に係る照射治療装置の第３実施形態を示す図であり、複合型超伝導電磁石の分解斜視図。
【図７】図１の複合型超伝導電磁石の好ましい形態を示す図。
【発明を実施するための形態】
【００１１】
添付図面を参照して、本発明の実施形態を説明する。
【００１２】
（第１実施形態）
図１は本発明に係る照射治療装置の第１実施形態を示す要部縦断面図である。
【００１３】
照射治療装置１は、荷電粒子線ビームの照射部がターゲット（例えば、患者の癌患部）の周囲で回転し、任意の回転位置からターゲットを照射する回転式の照射治療装置である。
【００１４】
この照射治療装置１は、陽子や炭素イオンなどの荷電粒子線を数百ＭｅＶの高エネルギーまで加速し、ビーム状に集束・成型してターゲットに導くビーム輸送路を形成するように構成され、加速器としてのシンクロトロン（図示省略）、ビームパイプ２、回転ガントリ３及び複合型超伝導電磁石４（荷電粒子線ビームの制御用電磁石）を主要な構成としている。
【００１５】
ビームパイプ２は、その内部が略真空に維持されており、シンクロトロンで加速された荷電粒子線をターゲットＰへと導くビーム輸送路である。
【００１６】
回転ガントリ３は、ビーム輸送路の終端となり荷電粒子線ビームの出口となる照射部５を保持しながら回転するように構成され、任意の回転位置からターゲットＰに荷電粒子線ビームを照射する。
【００１７】
複合型超伝導電磁石４は、回転ガントリ３の内部で間隔を置いて３体設けられている。この複合型超伝導電磁石４は、荷電粒子線ビームのビーム軌道を制御する磁場として、偏向磁場（２極磁場）と集束磁場（４極磁場）の２つの磁場を言わば重畳的な合成磁場として同時に形成する。
【００１８】
複合型超伝導電磁石４の偏向磁場は、ビームパイプ２を通過する荷電粒子線ビームの軌道を強制的に変え、荷電粒子線ビームが回転ガントリ３に入射して照射部５から射出されるまでに、そのビーム軌道を円弧状に９０℃向きを変えるように調節されている。かかる偏向磁場の調節は、複合型超伝導電磁石４の配置によっても行われている。
【００１９】
また、偏向磁場とともに形成される集束磁場は、ビームパイプ２を通過する荷電粒子線ビームの軌道中心（ビーム進行方向）から遠ざかる発散成分を強制的に抑え、荷電粒子線ビームが回転ガントリ３に入射して照射部５から射出されるまでにその指向性が高まるように調節されている。
【００２０】
図２は複合型超伝導電磁石４の分解斜視図である。
【００２１】
複合型超伝導電磁石４は、互いに対峙する第１超伝導コイル４１及び第２超伝導コイル４２を用いて構成され、ビームパイプ２の周囲を取り囲むように互いに近接して配置される。
【００２２】
第１超伝導コイル４１及び第２超伝導コイル４２は、多層で構成されており、ビームに近い側に主コイル、ビームから遠い側にアクティブシールドコイルが配置構成され、主コイルに同じ方向の電流供給、アクティブシールドコイルには逆方向の電流供給を行い、中心に偏向、収束磁場を形成し、かつ外側には磁場を出さないよう構成される。
【００２３】
第１超伝導コイル４１及び第２超伝導コイル４２は、それぞれ荷電粒子線ビームの軌道に沿った祖と密の非対称構造とされ、この非対称構造によって２極磁場である偏向磁場とともに４極磁場である集束磁場を重畳的に形成するように構成される。
【００２４】
更に、荷電粒子線ビームの軌道に沿って設定される第１超伝導コイル４１の非対称構造と第２超伝導コイルの非対称構造についても非対称に配置され、このような非対称配置よって集束磁場（４極磁場）の符号（正／負）が反転するように構成される。
【００２５】
次に、本発明に至った経緯ならびの本発明の効果を説明する。
【００２６】
図３は従来の照射治療装置の要部縦断面図である。図４は従来の照射治療装置に設けられる荷電粒子線ビームの制御用電磁石を示す分解斜視図であり、（Ａ）は常電導偏向電磁石を示す図、（Ｂ）は常電導集束電磁石を示す図である。
【００２７】
従来の照射治療装置１ａにあっては、図３に示すように、荷電粒子線ビームの制御用電磁石が常電導偏向電磁石１０ａと常電導集束磁場２０ａの２つの独立した電磁石を用いて構成されている。
【００２８】
シンクロトロンで高エネルギーに加速された荷電粒子線ビームは、回転ガントリ３ａに案内されて各々の常電導偏向電磁石１０ａの偏向磁場（２極磁場）で偏向され、そのビーム軌道が円弧を描いて９０°向きを変える。そして、荷電粒子線ビームは、患者の周りで回転している回転ガントリ３ａの照射部５ａから射出され、多方向からターゲットＰに向かって入射する。このとき、回転ガントリ３ａに案内された荷電粒子線ビームは、常電導集束電磁石２０ａの各々の集束磁場（４極磁場）で集束され、軌道から遠ざかる発散成分が抑えられて指向性の高いビームに成形される。
【００２９】
常電導偏向電磁石１０ａは、図４（Ａ）に示すように、互いに対峙する第１常電導コイル１１ａ及び第２常電導コイル１２ａにより構成されており、同じ方向に電流を流すことにより偏向磁場（２極磁場）が形成される構成となっている。一方、常電導集束電磁石２０ａは、回転対称にて９０℃毎に配置される４つの超伝導コイル２１ａ〜２４ａにより構成されており、隣り合う常電導コイルに逆向きの電流を流すことにより集束磁場（４極磁場）が形成される構成となっている。
【００３０】
ここで、回転ガントリ３ａに案内された荷電粒子線ビームがターゲットＰに導かれるまでに描くビーム軌道半径は、偏向磁場の強度に大きく依存する。このため、偏向磁場が強ければ強いほど、小さいビーム軌道半径で荷電粒子線ビームを偏向させることができ、荷電粒子線ビームの偏向場である回転ガントリ３ａの小型化や軽量化を図ることができるようになる。つまり、回転ガントリ３ａの回転制御の高精度化が図られる。
【００３１】
従来の照射治療装置１ａは、常電導偏向電磁石１０ａを用いて荷電粒子線ビームを偏向させるものとなっており、荷電粒子線ビームのビーム軌道半径の縮小、即ち、回転ガントリ３ａの小型化や軽量化に限界がある。また、回転ガントリ３ａの大型化は、設置スペースにも影響し、低コスト化を図りにくくなる点も無視できない。
【００３２】
加えて、従来の照射治療装置１ａは、常電導集束電磁石２０ａを用いて荷電粒子線ビームを集束させるものとなっているところ、この常電導集束電磁石２０ａを用いることなく荷電粒子線ビームを集束できれば、回転ガントリ３ａの更なる小型化や軽量化を実現できるようになる。
【００３３】
そこで、回転ガントリの小型化及び軽量化が可能となり、回転ガントリの高精度な回転制御、ターゲットの高精度な照射が可能となる照射治療装置を実現すべく、以下の各手法が考えられた。
【００３４】
（i）先ず、回転ガントリ内部のビーム輸送路に配置される常電導偏向電磁石を超伝導偏向電磁石に置き換える。超伝導偏向電磁石を用いると常電導電磁石に比べて強力な磁場を作り出せることから、ビーム軌道半径の縮小、即ち、回転ガントリの小型化や軽量化に有利となる。
【００３５】
（ii）更に、荷電粒子ビームの偏向とともに、荷電粒子ビームの集束も行う言わば複合的な磁場を形成するように超伝導電磁石の構造を特殊化する。こうすることで、集束磁場（４極磁場）を形成するための集束電磁石ならびにその保持構造の配置スペースが不要となり、回転ガントリの一層の小型化や軽量化を望める。
【００３６】
（iii）更に、複合磁場型超伝導電磁石は、鉄ヨークを用いない空芯タイプ（空心コイル）とする。空心タイプとすることにより、超伝導電磁石の重量軽減が図られる。
【００３７】
本実施形態の照射治療装置１は、（i）〜（iii）に列挙した知見に基づいて為され、
（１）偏向磁場と集束磁場を合成磁場として同時に形成するとともに、荷電粒子線ビームの軌道に沿って磁場の向きが切り替わるように形状設定された第１超伝導コイル４１及び第２超伝導コイル４２を有する複合型超伝導電磁石４（荷電粒子線ビームの制御用電磁石）を備える。即ち、偏向磁場用の電磁石と集束用の電磁石を別個に用意することなく荷電粒子線ビームの偏向と集束が可能となり、又、空心タイプとしても強力な磁場が得られる。従って、回転ガントリの小型化及び軽量化が可能となり、回転ガントリの高精度な回転制御、ターゲットの高精度な照射が可能となる。
【００３８】
（２）また、複合型超伝導電磁石４の第１超伝導コイル４１及び第２超伝導コイル４２は、多層で構成されており、ビームに近い側に主コイル、ビームから遠い側にアクティブシールドコイルが配置構成され、主コイルに同じ方向、アクティブシールドコイルに逆方向の電流供給が可能に構成される。このため、中心には偏向及び収束磁場を形成しつつ、外側の漏れ磁場を効果的に抑制できる。その結果、周囲の構造物との磁力的な相互作用が低減され、偏向及び集束の機能を良好に維持できる。
【００３９】
（第２実施形態）
図５は本発明に係る照射治療装置の第２実施形態を示す図であり、複合型超伝導電磁石の縦断面図（図１のＩＩ−ＩＩ線断面図）である。
【００４０】
本実施形態は、第１実施形態の照射治療装置１における複合型超伝導電磁石に構成を追加した例である。なお、第１実施形態と同様の構成は同一符号を付して説明を省略し、第１実施形態の構成を変更し或いは新たに追加した構成は符号に「Ａ」を付して説明する。
【００４１】
本実施形態の複合型超伝導電磁石４Ａは、第１実施形態の構成に加え、鉄ヨーク６Ａ及び第二の複合型超伝導電磁石７Ａを有する。
【００４２】
鉄ヨーク６Ａは、第１超伝導コイル４１及び第２超伝導コイル４２の外側を覆うように設けられている。
【００４３】
第二の複合型超伝導電磁石７Ａは、互いに対峙する第３超伝導コイル７１Ａ及び第４超伝導コイル７２Ａにより構成される。
【００４４】
第３超伝導コイル７１Ａ及び第４超伝導コイル７２Ａは、鉄ヨーク６の外側を覆うように設けられており、超伝導性のアクティブシールドコイルにより構成され且つ偏向磁場（２極磁場）とともに集束磁場（４極磁場）を重畳的に同時に形成するように構成される。即ち、第３超伝導コイル７１Ａ及び第４超伝導コイル７２Ａは、第１超伝導コイル４１及び第２超伝導コイル４２と同様の構成を有している。
【００４５】
次に、効果を説明する。
【００４６】
本実施形態の照射治療装置にあっては、第１実施形態の（１）及び（２）の効果に加え、次の効果を得ることができる。
【００４７】
（３）複合型超伝導電磁石４Ａは、第１超伝導コイル４１及び第２超伝導コイルの外側を覆う鉄ヨーク６Ａを有する。このため、ビームパイプ２の内部の磁場が高められることに加えて、磁気シールドの作用によって第１超伝導コイル４１及び第２超伝導コイル４２から染み出る漏れ磁場を低減でき、第１実施形態の（２）の効果を高めることができる。
【００４８】
（４）また、複合型超伝導電磁石４Ａは、鉄ヨーク６Ａを覆うように設けられ、偏向磁場とともに集束磁場を合成磁場として重畳的に同時に形成するとともに、荷電粒子線ビームの軌道に沿って磁場の向きが切り替わるように形状設定され、且つ、アクティブシールドコイルとして構成された第二の複合型超伝導電磁石７Ａを有する。このため、荷電粒子線ビームの偏向機能及び集束機能が増幅することに加え、鉄ヨーク６Ａから染み出す漏れ磁場をも低減され、第１実施形態の（１）及び（２）の効果を一層高めることができる。
【００４９】
（第３実施形態）
図６は本発明に係る照射治療装置の第３実施形態を示す図であり、複合型超伝導電磁石の分解斜視図である。
【００５０】
本実施形態は、第１実施形態の照射治療装置１における複合型超伝導電磁石４の構成を変更した例である。なお、第１実施形態と同様の構成は同一符号を付して説明を省略し、第１実施形態の構成を変更し或いは新たに追加した構成は符号に「Ｂ」を付して説明する。
【００５１】
本実施形態の照射治療装置４Ｂは、図６に示すように、二重構造となっており、内側を構成する超伝導偏向電磁石８Ｂと、外側を構成する２体以上の超伝導集束電磁石９Ｂとを用いて構成される。なお、超伝導偏向電磁石８１Ｂ及び超伝導集束電磁石８２Ｂは、互いに接近して重なり合うようにオーバーラップして配置される。
【００５２】
超伝導偏向電磁石８Ｂは、荷電粒子線ビームのビーム軌道を強制的に変える偏向磁場（２極磁場）を形成するように構成される。
【００５３】
超伝導集束電磁石９Ｂは、荷電粒子線ビームの軌道中心から遠ざかる発散成分を抑える集束磁場（４極磁場）を形成するように配置された４つの超伝導コイル９１Ｂ〜９４Ｂを有する。これら４つの超伝導コイル９１Ｂ〜９４Ｂは、回転対称となるように９０℃毎に配置されるとともに、何れも超伝導偏向電磁石８Ｂの長手方向と重なり合うように配置される。
【００５４】
２体の超伝導集束電磁石９Ｂは、荷電粒子線ビームの軌道に沿って間隔を置いて配置されており、独立して励磁電流の供給を受けるように構成されている。また、超伝導偏向電磁石８Ｂと超伝導集束電磁石９Ｂについても、独立して励磁電流の供給を受けるように構成されている。
【００５５】
次に、効果を説明する。
【００５６】
本実施形態の照射治療装置にあっては、第１実施形態の（１）及び（２）の効果に加えて、次の効果を得ることができる。
【００５７】
（５）複合型超伝導電磁石４Ｂは、同心状の２重構造を有し、内側を構成して偏向磁場を形成する超伝導偏向電磁石８Ｂと、外側を構成して集束磁場を形成する超伝導集束電磁石９Ｂとを有し、この超伝導偏向電磁石８Ｂと超伝導集束電磁石９Ｂは独立して励磁電流の供給を受けるように構成されている。このため、偏向磁場と集束磁場を個別に設定できるので、荷電粒子線ビームの偏向制御と集束制御を高精度且つ容易に行えるようになる。
【００５８】
（６）複合型超伝導電磁石４Ｂを構成する超伝導集束電磁石９Ｂは、荷電粒子線ビームの軌道に沿って複数設けられ、各超伝導集束電磁石９Ｂは独立して励磁電流の供給を受けるように構成されている。このため、集束磁場を精細に設定できるので、（５）の効果が高められる。
【００５９】
以上、本発明に係る照射治療装置及びその荷電粒子線ビームの制御に用いる超伝導電磁石を第１実施形態〜第３実施形態に基づき説明してきたが、具体的な構成については、これらの実施形態に限られるものではなく、特許請求の範囲に記載の発明の要旨を逸脱しない限り設計の変更や追加等は許容される。
【００６０】
例えば、第１実施形態〜第３実施形態で例示した各種の複合型超伝導電磁石の形状は、荷電粒子線ビームの効果的な輸送の観点から、荷電粒子線ビームの軌道に沿った形状とするのがよい。なお、図７は、第１実施形態の複合型超伝導電磁石の好ましい形態であり、電粒子線ビームの軌道に沿った形状とした例を示す図である。
【００６１】
また、複合型超伝導電磁石は、集束磁場（４極磁場）の磁場成分が部分的に強弱変化を呈するような構成としてもよい。
【００６２】
また、複合型超伝導電磁石は、集束磁場として４極磁場よりも高次の磁場（６極以上）を形成するようにしてもよい。
【００６３】
また、複合型超伝導電磁石は、回転ガントリの内部に３体設ける例としたが、複合型超伝導電磁石の数に制限はない。
【００６４】
なお、荷電粒子線を加速する加速器としては、シンクロトロンのほか、サイクロトロンや直線型加速器など、任意の加速手段を適用し或いは各種の加速器を組み合わせたものでもよい。
【符号の説明】
【００６５】
Ｐ……ターゲット，  １……照射治療装置，  ２……ビームパイプ，  ３……回転ガントリ，  ４、４Ａ，４Ｂ……複合型超伝導電磁石，  ４１……第１超伝導コイル，  ４２……第２超伝導コイル，  ５……照射部  ６……鉄ヨーク，  ７１Ｂ……第３超伝導コイル，  ７２Ｂ……第４超伝導コイル，  ８Ｂ……超伝導偏向電磁石，  ９Ｂ……超伝導集束電磁石，  ９１Ｂ〜９４Ｂ……超伝導コイル．
【図１】
2011072717.tif 000003
【図２】
2011072717.tif 000004
【図３】
2011072717.tif 000005
【図４】
2011072717.tif 000006
【図５】
2011072717.tif 000007
【図６】
2011072717.tif 000008
【図７】
2011072717.tif 000009